Podtech/llm-jp-corpus-v4-ja_patent huggingface dataset:
(57)【要約】      （修正有）【課題】従来の温風拡散装置は、吹き出し方向の調整範囲が狭く、風の吹き出し方向を変える時は人手を要してネジをゆるめて風向板の向きを変えて使用するなど問題点があった。そこで、電力及び電源設備等を使わず人手をかけることなく、自動で効率よく加温し燃費を節減できる温風拡散装置を提供する。【解決手段】温室のダクト温風圧を動力源として回転翼を廻す構造とし、プロペラファン１が回転すると同軸上に配したスプロケット２も回転しスプロケット２の回転をチェーン３で減速機５の軸に配したスプロケット４に伝達し減速機５でプロペラファン１の回転を減速してギアー６を回転させる。【選択図】図７
0003102340.tif 000002
【実用新案登録請求の範囲】
【請求項１】
電力等を必要とせずに、温室のダクト末端の温風圧により回転する回転翼とその回転力を使用して風向板の角度を可動にして成る温風拡散装置。
【請求項２】
風向板の中央部に回転軸を設け、断面が回転軸部が厚く端部が薄い略菱形をした請求項１の温風拡散装置。
【請求項３】
回転翼と風向板の間に減速機を設け、両軸にスプロケットやプーリーを配しチェーンやベルト等で可動し、減速機と風向板をギア、チェーン、ベルト等で連動し風向板が回転するようにした請求項１の温風拡散装置。
【請求項４】
回転翼と減速機、チェーン、ベルト、ギア、スプロケット等を配し風向板を一定角度範囲内を往復回動させる請求項１の温風拡散装置。
【考案の詳細な説明】
【技術分野】
【０００１】
本考案は、電気代及び電源設備をかけず温室の加温効率向上と暖房燃料費節約に利用する温風拡散装置に関するものである。
【背景技術】
【０００２】
従来の温風拡散装置は、吹き出し方向の調整範囲が狭く、風の吹き出し方向を変える時は人手を要してネジをゆるめて風向板の向きを変えて使用するなど問題点があった。
【考案の開示】
【考案が解決しようとする課題】
【０００３】
本考案は、従来の温風拡散装置の問題点を解消する、温風拡散装置を提供することを目的とする。
【課題を解決するための手段】
【０００４】
上記目的を達成する本考案の温風拡散装置は、温室のダクト末端に取り付け、ダクトの温風圧を動力源として回転翼を廻し、減速機、チェーン、ベルト、ギア、スプロケット等を介して中央の風向板を回転又は回動させて、温風の方向を変えながら温風を拡散する事を特徴とする。
【考案の効果】
【０００５】
本考案の温風拡散装置は、ダクトの温風を動力源として回転翼を廻すので、電源設備等を使用しません。
【０００６】
ネジをゆるめて風向板の向きを変えて使用するなど、人手をかけることなく温室内を自動で効率よく加温することができ、暖房燃料費の節約もできる。
【実施例】
【０００７】
次に、本考案の一つの実施例を図面に基づいて説明する。
図１及び図２に示すように温風がダクト１０を通り図３で示すようプロペラファン１を回転させる。
【０００８】
プロペラファン１が回転すると図７で示すよう同軸上に配したスプロケット２も回転しスプロケット２の回転をチェーン３で減速機５の軸に配したスプロケット４に伝達し減速機５でプロペラファン１の回転を減速してギアー６を回転させる。
【０００９】
ギアー６が回転すると図４に示すようギアー７と１体の風向板８が回転する。
【００１０】
風向板８が回転すると図５及び図６に示すよう回転に伴い温風の吹き出し方向が変わる。
【００１１】
風向板８は温風が直角に当たった時に、風圧を少し逃がす為と風向板補強のために菱形に加工している。
【００１２】
風向板８の回転数は減速機５の減速率を変えることで回転数を変更できる。
【産業上の利用可能性】
【００１３】
本考案は上記のように構成され、温風圧を動力源として回転翼を廻すので電力及び電源設備等を必要とせず、人手をかけることなく自動で効率よく加温し燃費節減の効果を有する。
【図面の簡単な説明】
【００１４】
【図１】本考案の一実施例に係わるダクトからの温風を示した上面図。
【図２】同実施例の側面図。
【図３】同実施例のプロペラファンの回転を示した正面図。
【図４】同実施例の風向板の回転を示した図２のＢ−Ｂ断面図。
【図５】同実施例の温風の吹き出し方向を示した図２のＢ−Ｂ断面図。
【図６】同実施例の温風の吹き出し方向を示した図２のＢ−Ｂ断面図。
【図７】同実施例の回転伝達を示した図１のＡ−Ａ断面図。
【符号の説明】
【００１５】
１            プロペラファン
２            スプロケット（プロペラファン側）
３            チェーン
４            スプロケット（減速機側）
５            減速機
６            ギアー（減速機側）
７            ギアー（風向板側）
８            風向板
９            装置筐体
１０  ダクト
【図１】
0003102340.tif 000003
【図２】
0003102340.tif 000004
【図３】
0003102340.tif 000005
【図４】
0003102340.tif 000006
【図５】
0003102340.tif 000007
【図６】
0003102340.tif 000008
【図７】
0003102340.tif 000009
(57)【要約】      （修正有）【課題】結束バンドの結束ロック力を低下させる事無く、結束帯に凸リブを設け保持力を向上させ、結束対象物の抜け落ちや滑りを防止する。【解決手段】結束帯３の結束対象物に直接接する面９に凸リブ７を設け、その裏面となる結束対象物に直接接しない面１０に鋸歯５を設ける構造にする事により、ロック爪４と鋸歯５とのかかり面積が確保され結束ロック力の低下を招く事無く保持力が向上し、結束対象物の抜け落ちや滑りの防止が可能となる。【選択図】図２
0003102338.tif 000002
【実用新案登録請求の範囲】
【請求項１】
内部にロック爪を持つロック部と、該ロック部と一体で、ロック爪と係合する事により結束対象物を結束する鋸歯が設置された結束帯よりなる可撓性を有する結束バンドにおいて、結束帯の結束対象物に直接接する面の長手方向に一本もしくは複数本の凸リブを設け、その裏面となる結束対象物に直接接しない面に鋸歯を設置し、該鋸歯と係合するロック部内のロック爪はロック部内壁上部を支点として設置され、更にロック部内壁上部の対面側内壁には結束帯に設けられた凸リブを逃す為に該凸リブの山に対し谷を、該凸リブの谷に対し山の反転形状のリブ逃がしを設置した事を特徴とする結束バンド。
【考案の詳細な説明】
【技術分野】
【０００１】  本考案は、機材や電線等を束ねる結束バンドに関するものである。
【背景技術】
【０００２】  従来技術としても、結束帯に凸リブを設けるかたちで保持力を向上させ、結束対象物の抜け落ちや滑りを防止した結束バンドは存在したが、結束帯の鋸歯上に凸リブを設ける形状とされているなど結束対象物を結束した後に結束ロック力の低下が懸念されるものであった。
【考案の開示】
【考案が解決しようとする課題】
【０００３】  結束対象物に対する結束ロック力を低下させる事無く保持力を向上させ、結束対象物の抜け落ちや滑りを防止した結束バンドを提供する事を課題とする。
【課題を解決するための手段】
【０００４】  通常よく利用されている結束バンドは結束帯の結束対象物に直接接する面に鋸歯が設置されているが、この形状のままで保持力向上目的の凸リブを結束帯上に設置した場合、必然的に結束帯の結束対象物に直接接する面の鋸歯上に該凸リブが設置される事となり、鋸歯に対するロック爪のかかり面積が減少し結束ロック力の低下をまねく恐れがある。【０００５】  これに対し、本考案は結束帯の鋸歯を表裏逆転させ結束対象物に直接接しない面に該鋸歯を設ける事により、鋸歯上に凸リブを設置した場合のロック爪と鋸歯とのかかり面積減少による結束ロック力の低下を招く事無く、結束対象物に直接接する面に一本もしくは複数本の凸リブを結束帯の長手方向に設ける構造とする事が可能となる。この様な構造にする事により、結束ロック力を低下させる事無く凸リブが設置でき、該凸リブにより結束対象物に対する接触表面積が増し保持力の向上が可能となる。
【考案の効果】
【０００６】  従来品と同じ締め付け力で結束対象物を結束した場合でも結束対象物に対する接触表面積が増す事により保持力が向上し、しかも従来品と同等の結束ロック力が得られ、金型構造的にも簡素である。
【考案を実施するための最良の形態】
【０００７】  結束帯の結束対象物に直接接する面に凸リブを設け、その裏面となる結束対象物に直接接しない面に鋸歯を設ける。又、ロック部はロック部内壁上部を支点としてロック爪を設置し、ロック部内壁上部の対面側内壁に凸リブに対するリブ逃がしを設ける構造とする。
【実施例】
【０００８】  以下、添付図面に従って実施例を説明する。本考案の結束バンド１は図１、図２に示す様に大きくロック部２と結束帯３とで構成されており、材料は可撓性を有する合成樹脂等により形成されている。ロック部２の内部にはロック部内壁上部６を支点としてロック爪４が設置され、結束帯３には結束対象物に直接接しない面１０に鋸歯５が設けられ、その裏面となる結束対象物に直接接する面９には図３、図４に示す様な形状の凸リブ７が設けられている。又、ロック部２には結束対象物１３結束時、結束帯３がロック部２に挿入された時の凸リブ７の逃しとして、ロック爪４のあるロック部内壁上部６の対面側内壁にリブ逃し８が設けられている。図５は結束対象物１３を結束し、結束対象物の長手方向に対し垂直に切断した状態を示し、図６は図５の切断線Ｃ−Ｃ線に沿って切断した断面図であるが、結束対象物１３を結束する場合、結束帯３を結束対象物１３の外周に沿わせるかたちで湾曲させロック部挿入側１１から結束帯３を挿入し、鋸歯５とロック爪４とが相互作用し係合する事によりロック状態となり結束対象物１３を結束する。前述の手順により結束後、図６に示す様に凸リブ７が結束対象物１３にしっかり食い込む事により保持力の向上が可能となる。又、表面が硬い結束対象物の場合は図７、図８に示す凸リブＢ１２の様な形状にする事により、結束後、結束対象物１３に対して図９の如く結束対象物１３の表面に沿う形で凸リブＢ１２が変形し接触表面積が増す事により保持力の向上が可能となる。
【図面の簡単な説明】
【０００９】
【図１】本考案の正面図である。
【図２】図１におけるＡ−Ａ線に沿う断面図である。
【図３】図１の背面図である。
【図４】図３におけるＢ−Ｂ線に沿う断面図である。
【図５】結束バンド結束後、結束対象物を切断した方向から見た側面図である。
【図６】図５におけるＣ−Ｃ線に沿う断面図である。
【図７】第２の実施例を示す背面図である。
【図８】図７におけるＤ−Ｄ線に沿う断面図である。
【図９】第２の実施例の図５におけるＣ−Ｃ線に沿う断面図である。
【符号の説明】
【００１０】    １  結束バンド
２  ロック部
３  結束帯
４  ロック爪
５  鋸歯
６  ロック部内壁上部
７  凸リブ
８  リブ逃し
９  結束対象物に直接接する面
１０結束対象物に直接接しない面
１１ロック部挿入側
１２凸リブＢ
１３結束対象物
【図１】
0003102338.tif 000003
【図２】
0003102338.tif 000004
【図３】
0003102338.tif 000005
【図４】
0003102338.tif 000006
【図５】
0003102338.tif 000007
【図６】
0003102338.tif 000008
【図７】
0003102338.tif 000009
【図８】
0003102338.tif 000010
【図９】
0003102338.tif 000011
(57)【要約】【課題】多品種少量生産に適した袋の構造を提供すること。【解決手段】袋（１０）は、互いに重ね合わされかつヒートシールにより互いに結合された、表裏面を有するプラスチックフィルム（１２）とその表面を覆う不織布（１４）とからなる。プラスチックフィルム（１２）はポリエチレン、ポリプロピレン、延伸ポリプロピレン又はポリエステルからなり、不織布（１４）はポリエステル繊維からなる。【選択図】図１
0003102374.tif 000002
【実用新案登録請求の範囲】
【請求項１】
互いに重ね合わされかつヒートシールにより互いに結合された、表裏面を有するプラスチックフィルムと該プラスチックフィルムの表面を覆う不織布とからなる、袋。
【請求項２】
前記プラスチックフィルムはポリエチレン、ポリプロピレン、延伸ポリプロピレン又はポリエステルからなり、前記不織布はポリエステル繊維からなる、請求項１に記載の袋。
【請求項３】
前記袋は襠付きの袋である、請求項１又は２に記載の袋。
【考案の詳細な説明】
【技術分野】
【０００１】
本考案は、物を入れるための袋、特に食品の収納に適する袋に関する。
【背景技術】
【０００２】
従来、収納される食品の衛生と外観（装飾性）とを考慮した袋が提案されている（後記特許文献１参照）。この袋は、不織布の一面にプラスチックフィルムが積層されたいわゆるラミネートフィルムにより形成されている。前記袋は、その内側の面及びその外側の面がそれぞれ前記プラスチックフィルム及び前記不織布からなるように、前記ラミネートフィルムの二方又は三方がヒートシールにより結合されている。前記プラスチックフィルムは収納物に対する耐水性や耐油性を有し、前記不織布は袋の装飾性を高めることに寄与する。
【０００３】
【特許文献１】特開平５−２７８１８３号公報
【考案の開示】
【考案が解決しようとする課題】
【０００４】
ところで、前記ラミネートフィルムは大量生産により画一的に提供される。他方、前記袋はその用途により種々の異なるデザインやサイズのものが求められる多品種少量生産品であるということができる。このため、前記ラミネートフィルムは、このような需要を満たす袋の生産には不向きである。
したがって、本考案の目的は、多品種少量生産に適した袋の構造を提供することにある。
【課題を解決するための手段】
【０００５】
本考案に係る袋は、互いに重ね合わされかつヒートシールにより互いに結合された、表裏面を有するプラスチックフィルムと該プラスチックフィルムの表面を覆う不織布とからなる。前記プラスチックフィルムはポリエチレン、ポリプロピレン、延伸ポリプロピレン又はポリエステルからなり、前記不織布はポリエステル繊維からなる。前記袋は、襠のついていないものであっても、また襠付きのものであってもよい。
【考案の効果】
【０００６】
本考案によれば、袋の実質的な収納空間を規定する内面を規定するプラスチックフィルムは衛生性の機能を担い、特に食品のような物の収納に適する。また、袋の外観を規定する前記不織布は装飾性の機能を担う。前記プラスチックフィルムと前記不織布とはヒートシールにより一体にされ、袋としての形態が良好に維持される。前記プラスチックフィルムがポリエチレン、ポリプロピレン、延伸ポリプロピレン又はポリエステルからなるものとし、かつ前記不織布がポリエステル繊維からなるものとすることにより、両者（プラスチックフィルム及び不織布）相互間の前記ヒートシールによる結合度をより大きいものとすることができる。
本考案に係る袋は、互いに重ね合わされた前記プラスチックフィルムと前記不織布とを、単に、これらの三方又は二方で接着することにより得られる襠なしのものとし、あるいは互いに重ね合わされた前記プラスチックフィルム片及び前記不織布片を襠として有するものとすることができる。
【考案を実施するための最良の形態】
【０００７】
図１を参照すると、本考案に係る袋が全体に符号１０で示されている。
【０００８】
袋１０は、互いに重ね合わされかつヒートシールにより互いに結合された、プラスチックフィルム１２と不織布１４とからなる。
【０００９】
プラスチックフィルム１２はその表裏面のうちの表面が不織布１４で覆われ、不織布１４はその表裏面のうちの裏面がプラスチックフィルム１２の表面に相対している。その結果、実質的に、プラスチックフィルム１２の裏面が袋１０の内面を規定し、不織布の表面が袋１０の外面を規定している。プラスチックフィルム１２は例えば菓子のような食品を収容するための空間１３を規定し、また不織布１４は袋１０の装飾機能を担う。
【００１０】
図示の例では、共に細長い長方形状のプラスチックフィルム１２と不織布１４とが、互いに重ね合わされ、プラスチックフィルム１２を内側にして共に半分に折り曲げられ、さらにこれらの折り線１６に隣接する両縁部１８の全長にわたってヒートシールにより互いに結合されている。符号２０は前記両縁部における帯状の結合領域を示す。この例によれば、袋１０は、折り線１６を含む部分を底部とし、両結合領域を含む部分を両側部とし、かつ前記底部に相対する部分を開放頂部とする。
【００１１】
前記ヒートシールは、加熱圧着、高周波を用いた誘導加熱に溶着、超音波を用いた摩擦熱による溶着等により行うことができる。前記ヒートシールによって、互いに折り重ねることにより２枚となった内側のプラスチックフィルム１２と同様に２枚となった外側の不織布１４とが互いに熱溶融し、密接する。
【００１２】
また、図示の例の袋１０は襠を有しないが、この例に代えて、襠を有するものとすることができる（図示せず）。
【００１３】
襠は、例えば、袋１０の各側部とその底部とに設けることができる。
【００１４】
前記襠を設けるときは、互いに重ね合わされた、例えば長方形の平面形状を有するプラスチックフィルム１２及び不織布１４を一組として、比較的広い面積の２組（以下「広面積の２組」という。）と、比較的細長い３組（以下「細長の３組」という。）とを準備する。次に、互いに相対する前記広面積の２組の３方の縁部（前記長方形の４つの辺のうちの３辺に沿った３つの縁部）間に、それぞれ、前記細長の３組を配置する。次いで、前記広面積の２組の三方のそれぞれの縁部と前記細長の３組のそれぞれの縁部とをヒートシールにより互いに結合し、さらに、前記細長の３組のうちの２組と残りの１組とをこれらの縁部においてヒートシールにより互いに結合する。
【００１５】
プラスチックフィルム１２は、ポリエチレン、ポリプロピレン、延伸ポリプロピレン又はポリエステルからなる。これらは、収納される食品に対する衛生性、防水性を有し、実質的な収納袋としての機能を十分に果たす。また、不織布１４はポリエステル繊維からなる。前記ポリエチレン、ポリプロピレン、延伸ポリプロピレン又はポリエステルからなるプラスチックフィルム１２と、前記ポリエステル繊維からなる不織布１４とは熱溶着しやすく、両者の強固な結合態様が得られる。また、プラスチックフィルム１２と不織布１４との重ね合わせの構造は、これらの材料、サイズ等の選択が容易であり、また豊富にあるため、多品種少量生産品である前記袋の製造に適する。
【図面の簡単な説明】
【００１６】
【図１】本考案に係る袋の一例を示す斜視図である。
【符号の説明】
【００１７】
１０  袋
１２  プラスチックフィルム
１４  不織布
２０  結合領域
【図１】
0003102374.tif 000003
(57)【要約】【課題】スクリーン部には映像のみを映し出すことができ、しかも空中に浮遊したように映像を映し出すことができる。【解決手段】透明基板１のほぼ中央部分に模様等を有しないスクリーン部２を設け、スクリーン部２の外側に模様等が沈んで見える沈み部３を形成し、沈み部３の外側に模様等が浮き上がって見える浮き上がり部４を形成した。【選択図】      図１
0003102371.tif 000002
【実用新案登録請求の範囲】
【請求項１】
透明基板のほぼ中央部分に模様等を有しないスクリーン部を設け、このスクリーン部の外側に模様等が沈んで見える沈み部を形成し、この沈み部の外側に模様等が浮き上がって見える浮き上がり部を形成したことを特徴とするスクリーン。
【請求項２】
前記浮き上がり部には、蓄光剤又は蛍光剤が塗布されていることを特徴とする請求項１記載のスクリーン。
【考案の詳細な説明】
【技術分野】
【０００１】
本考案は画像を映し出すスクリーンに係り、特に模様等が浮き上がったり沈んだりして見える立体的表示装飾部を有するスクリーンに関する。
【背景技術】
【０００２】
従来のスクリーンは、単に投影機により投射された画像を映し出すに過ぎなく、装飾的効果に乏しいものであった。そこで、本願出願人は、スクリーンに装飾的効果を持たせるため、種々研究及び実験を重ねた結果、模様等が浮き上がったり沈んだりして見える立体的表示装飾板を使用することに着目した。
【０００３】
立体的表示装飾板は、透明基板の表裏両面に繰り返し模様部を設け、表面の模様部と裏面の模様部のピッチを異ならせている。ここで、表面の模様等のピッチより裏面の模様等のピッチを大きくすると、模様等は浮き上がって見える。即ち、透明基板面よりも手前側に出た感じに見える。逆に、表面の模様等のピッチより裏面の模様等のピッチを小さくすると、模様等は沈んで見える。即ち、透明基板面よりも奥側に引っ込んだ感じに見える。このような立体的表示装飾板として、例えば特許文献１乃至３等が挙げられる。
【０００４】
また前記立体的表示装飾板の他に、例えば特許文献４に示すように、表面の模様等として凸状集光素が一定の微細なピッチにて規則正しい配列状態に印刷し、裏面の模様等を拡大画像として現出したものも知られている。
【０００５】
【特許文献１】特開平６−１４３５２９号公報（特許第３１６１８４１号公報）
【特許文献２】特開平１１−１８９００号公報（特許第３１３１７７１号公報）
【特許文献３】実開平６−３９５００号公報（実用新案登録第２５７６３６１号公報）
【特許文献４】特開平１０−３５０８３号公報（特許第３３３８８６０号公報）
【考案の開示】
【考案が解決しようとする課題】
【０００６】
前記した立体的表示装飾板をスクリーンとして用いた場合、映像と同時に模様等が現れ、映像が非常に見ずらいという問題があった。
【０００７】
本考案の課題は、スクリーン部には映像のみを映し出すことができ、しかも空中に浮遊したように映像を映し出すことができるスクリーンを提供することにある。
【課題を解決するための手段】
【０００８】
上記課題を解決するための本考案の請求項１は、透明基板のほぼ中央部分に模様等を有しないスクリーン部を設け、このスクリーン部の外側に模様等が沈んで見える沈み部を形成し、この沈み部の外側に模様等が浮き上がって見える浮き上がり部を形成したことを特徴とする。
【０００９】
上記課題を解決するための本考案の請求項２は、前記請求項１において、前記浮き上がり部には、蓄光剤又は蛍光剤が塗布されていることを特徴とする。
【考案の効果】
【００１０】
請求項１の構成によると、スクリーン部に投影機によって画像を投射した場合、スクリーン部に結像した映像は、スクリーン部の外側で奥側に見える沈み部と、沈み部の外側で手前側に見える浮き上がり部の中間、即ち空中に浮遊した映像として観察される。このような効果は、スクリーン部の外側に沈み部を形成し、この沈み部の外側に浮き上がり部を形成することにより得られるものである。またスクリーン部には何の模様も形成されていないので、投射した画像のみが映し出される。請求項２の構成によると、浮き上がり部４の部分に図柄、文字等を記載することにより、夜間は蓄光剤が発光するので、案内板等として機能を持つことになる。
【考案を実施するための最良の形態】
【００１１】
本考案のスクリーンの一実施の形態を図１により説明する。図１（ａ）、（ｂ）に示すように、透明な樹脂板又はガラス板よりなる透明基板１の中央部分は、何の模様等も形成されていないスクリーン部２となっている。本考案は、スクリーン部２の外側は模様等が沈んで見える沈み部３となっており、この沈み部３の外側は模様等が浮き上がって見える浮き上がり部４となっていることを特徴とする。沈み部３及び浮き上がり部４の形成は、前記〔従来の技術〕の項で挙げた特許文献に開示された技術によって容易に形成することができるので、その詳細な説明は省略し、簡単に説明する。
【００１２】
透明基板１の表面における沈み部３及び浮き上がり部４に対応した部分は、細かい繰り返し模様が形成された模様部５となっている。透明基板１の裏面における沈み部３に対応した部分は、前記模様部５のピッチより小さいピッチの細かい繰り返し模様が形成された模様部６となっている。透明基板１の裏面における浮き上がり部４に対応した部分は、前記模様部５のピッチより大きいピッチの細かい繰り返し模様が形成された模様部７となっている。
【００１３】
そこで、スクリーン部２に投影機によって画像を投射すると、図１（ｃ）に示すように、スクリーン部２に結像した映像は、スクリーン部２の外側で奥側に見える沈み部３と、沈み部３の外側で手前側に見える浮き上がり部４の中間に浮遊した映像として観察される。このような効果は、スクリーン部２の外側に沈み部３を形成し、この沈み部３の外側に浮き上がり部４を形成することにより得られるものである。またスクリーン部２には何の模様も形成されていないので、投射した画像のみが映し出される。
【００１４】
スクリーン部２をスクリーンとして使用しない場合には、スクリーン部２にポスター等を貼ってもよい。スクリーン部２にポスター等を貼ると、そのポスター等は前記した映像の場合と同様に、空中に浮遊したポスター等として観察される。また浮き上がり部４の部分に蓄光剤又は蛍光剤を塗布し、該浮き上がり部４の部分に図柄、文字等を記載することにより、夜間は蓄光剤又は蛍光剤が発光するので案内板等として機能を持つことになる。
【図面の簡単な説明】
【００１５】
【図１】本考案のスクリーンの一実施の形態を示し、（ａ）は正面図、（ｂ）は中央断面説明図、（ｃ）は観察状態の説明図である。
【符号の説明】
【００１６】
１    透明基板
２    スクリーン部
３    沈み部
４    浮き上がり部
５、６、７    模様部
【図１】
0003102371.tif 000003
(57)【要約】【課題】誘導加熱式の水蒸気過熱装置において、高圧蒸気の過熱を可能にする。【解決手段】水蒸気流入筒１に設けたフランジ３と過熱水蒸気の流出筒４に設けたフランジ６とにそれぞれ環状溝７、８を設けてその中に弾力性パッキング９、１０を収容させ、発熱体２１を収容した耐熱絶縁物製の加熱管１１の両端をパッキング９、１０に当接させ、フランジ３及び６の双方を貫通する締付ボルト１４に両端がフランジ３、６に当接するスリーブ１５を被せ、フランジ３、６の外側面との間に緩み留め座金１６を挟んで締付ボルト１４にナット１７を螺合した。【選択図面】  図１【実用新案登録請求の範囲】
【請求項１】
水蒸気が供給される流入筒に設けたフランジと過熱水蒸気が送出される流出筒に設けたフランジとの間に、内部に高周波誘導による発熱体を収容した耐熱絶縁物質製の加熱管をその両端に環状の弾性パッキングを挟んで挟持させ、上記加熱管の周囲に高周波コイルを配置した装置において、上記各弾性パッキングを上記両フランジの対向面にそれぞれ凹設した環状構内に収容し、上記両フランジの周縁部分に両フランジに跨ってこれを貫通する複数本の締付ボルトを設け、これら締付ボルトにそれぞれ両端が上記フランジに接触しているスリーブを被せると共に上記両フランジの外側との間に緩み留め座金を挟んで上記各締付ボルトの先端にナットを螺合したことを特徴とする水蒸気過熱装置。
【請求項２】
請求項１において、上記緩み留め座金は円錐形金属円板を算盤玉状に重ね合わせたものであることを特徴とする水蒸気過熱装置。
【請求項３】
請求項２において、上記金属円板の算盤玉状をなす対の複数対が同一箇所で重ねて使用されていることを特徴とする水蒸気過熱装置。
【請求項４】
請求項１において、上記加熱管を囲んで耐熱性断熱管が設けられ、その外周上に上記高周波コイルが巻回されていることを特徴とする水蒸気過熱装置。
【考案の詳細な説明】
【技術分野】
【０００１】
本考案は、常圧または高圧の水蒸気を過熱する装置に関する。
【背景技術】
【０００２】
従来、貫流式ボイラーのように発生した水蒸気を更に燃料を用いた加熱によって４００℃程度にまで過熱すること、及び常圧下で電磁誘導加熱によって８００℃程度にまで加熱することが知られている。
【考案の開示】
【考案が解決しようとする課題】
【０００３】
しかし、貫流式ボイラーでは構造上４００℃以上の過熱蒸気は得られず、電磁誘導加熱方式は常圧下での水蒸気の昇温しかできず、加圧状態で高温の過熱水蒸気は得られない。その原因としては、蒸気を導くために石英管や窒化珪素管などの非磁性材料の管を必要とするが、これらと金属部材との結合がむずかしいこと、及び高温であるため金属部材の熱膨張及び収縮のために締付部が緩み易く、気密性の維持がむずかしいことなどが挙げられる。
【０００４】
よって、本考案は、誘導加熱方式の水蒸気過熱装置の高温高圧下における気密性を改善すると共に、熱膨張及び収縮による締付部の緩みを除去することを目的とする。
【実施例】
【０００５】
図１において、１は流入筒で、被過熱水蒸気の供給管路に接続するフランジ２と加熱部フランジ３とを有し、４は流出筒で、過熱水蒸気の送出管路に接続するフランジ５と加熱部フランジ６とを有する。加熱部フランジ３及び６はそれぞれ環状溝７、８を有し、これら環状溝７、８はそれぞれ耐熱性の弾性パッキング９、１０を保持している。
【０００６】
１１は加熱管で、石英、窒化珪素セラミックなどの耐火性絶縁物質で形成され、両端がそれぞれパッキング９、１０に当接している。加熱部フランジ３、６の周縁部分にはそれぞれ締付孔１２、１２……及び１３、１３……が形成され、双方の締付孔１２、１２に跨って締付ボルト１４、１４……が挿通され、各締付ボルトには締付孔１２、１３より大径のスリーブ１５、１５……が嵌められている。各締付ボルトの両端には、１対または２対以上の円錐形の円板を算盤玉状に合わせた緩み留め座金１６、１６を挟んでナット１７、１７が施されている。なお、流入筒１、流出筒４、締付ボルト１４、１４……、スリーブ１５、１５……、緩み留め座金１６、１６……ナット１７、１７……と言った金属部材は、すべてＳＵＳ３０４鋼のような非磁性金属で作られている。
【０００７】
加熱管１１の周囲には例えばグラスウール、ロックウール等で形成した耐熱性断熱管１８が嵌められ、その周囲にコイル１９が巻回されている。石英管１１の内部には、多数の蒸気加熱孔２０、２０……を有する導体よりなる発熱体２１、２１……が収容されている。
【０００８】
なお、２２及び２３は流入筒１及び流出筒４にそれぞれ設けられた熱電対のような温度センサーの挿入孔である。
【０００９】
上述の装置において、ナット１７、１７……をそれぞれ締付けると、加熱管１１の両端はパッキング９、１０に圧接され、加熱管１１とフランジ３、６の間が気密に保たれる。ここで、フランジ３と６との間隔はスリーブ１５、１５……によって制限されて、加熱管１１がパッキング９、１０を過度に強く押圧して、これらを圧潰するのを防ぐことができる。
【００１０】
上述の装置においてコイル１９に例えば２０ＫＨｚの高周波電流を印加すると、加熱管１１内の発熱体２１は誘導加熱され、流入筒１から流出筒４へ向かう蒸気は加熱管１１内において発熱体２１の周囲及び加熱孔２０、２０……内を通過する際に過熱される。
【００１１】
ここで、フランジ３及び６と加熱管１１との間では、パッキング９、１０によって気密性が保たれ、フランジ３と６とを締付けるボルト１４、１４……にはスリーブ１５、１５……が嵌められてフランジ３と６との距離を規制しているためにパッキング９．１０が圧潰されるのを防ぐことができる。また、パッキング９、１０は環状溝７、８に収容されているために、各部材の温度変化に伴う膨張、収縮に際して脱落することがなく、かつ蒸気にさらされて劣化したりする事態を防ぐことができる。
【００１２】
したがって本考案の装置によれば、通過させる蒸気の圧力を高めて熱効率を上げることが可能であり、かつ通常の過熱型のボイラーでは得られない例えば８００℃と言った高温の過熱蒸気を得ることも可能である。
【図面の簡単な説明】
【００１３】
【図１】本考案の実施例の縦断面図である。
【符号の説明】
【００１４】
１        流入筒
３        加熱部フランジ
４        流出筒
６        加熱部フランジ
７、８    環状溝
９、１０  パッキング
１１      加熱管
１４      締付ボルト
１５      スリーブ
１６      緩み留め座金
１７      ナット
１８      耐熱性断熱管
１９      コイル
２０      蒸気加熱孔
２１      発熱体
【図１】
0003102346.tif 000002
(57)【要約】【課題】入力したい文字を選ぶために同じキーを何度も押したり、また複雑な配列を覚えたりせずに、入力したい文字を簡単に直接入力できるようにする。【解決手段】複数のシフトキーと数値キーを同時入力することで、入力したい文字を簡単に直接入力できるようにした。また、携帯電話機ではそれを支え持つ指の位置にこのシフトキーを設けることによりさらに入力し易くした。【選択図】  図１
0003102306.tif 000002
【実用新案登録請求の範囲】
【請求項１】
文字入力方式として、３個又は４個のシフトキーと、「かな」の五十音配列の行を示す数値キーの組合せによる同時入力で、入力したい文字を直接入力する。
【請求項２】
携帯電話機入力部（１）の横（３）の、それを持つ手の親指を除く指の位置に、請求項１のシフトキーを設ける。
【考案の詳細な説明】
【技術分野】
【０００１】本考案は、携帯電話機やコンピュータ等の文字入力方式として、簡単に文字を入力できるようにするものである。
【背景技術】
【０００２】現在の文字入力方式として、携帯電話機では何度も同じキーを押さなければ入力したい文字を選べない。また、コンピュータ等においてはキーボード上の複雑な配列を覚えないと文字入力しにくい。
【考案の開示】
【考案が解決しようとする課題】
【０００３】入力したい文字を選ぶために同じキーを何度も押したり、複雑な配列から文字を探す手間を省き、また複雑な配列を覚える必要を無くし、入力したい文字を簡単に直接入力できるようにする。
【課題を解決するための手段】
【０００４】コンピュータ等の文字入力方式として、３個又は４個のシフトキーを設け、このシフトキーと、「かな」の五十音配列の行を示す数値キーとを組合せて同時に押すことにより入力したい文字を直接入力できるようにする。【０００５】また、携帯電話機においては、その携帯電話機を持つ入力部の横（親指を除く指が携帯電話機を支える位置）にこのシフトキーを設けさらに入力し易くする。
【考案の効果】
【０００６】携帯電話機においては、入力したい文字が簡単に直接入力できるようになり入力時間の短縮がはかれる。また、コンピュータでは入力したい文字を探す手間がなくなり、複雑なキー配列を覚える必要も無く、効率的でかつ熟練を必要としない入力作業が可能となる。
【実施例】
【０００７】シフトキー３個の例として、３個のキーをそれぞれＡ、Ｂ、Ｃとしたときの、かな入力状態における五十音配列の行を示す数値キーとの同時入力組合せの実施例を示す。
数値キー１２３４５６７８９０
シフトキーを押さずに数値キー    →          あかさたなはまやらわ
シフトキーＡ        と数値キー  →          いきしちにひみ  りを
シフトキー    Ｂ    と数値キー  →          うくすつぬふむゆるん
シフトキー    Ｂ、Ｃと数値キー  →          えけせてねへめ  れ
シフトキー        Ｃと数値キー  →          おこそとのほもよろ
シフトキーＡ、    Ｃと数値キー  →          、。「」（）−／！？
シフトキーＡ、Ｂ、Ｃと数値キー  →          １２３４５６７８９０
上記のように、母音「あ」の段はシフトキーを押さずにそのまま入力する。母音「い」の段はシフトキーＡと該当する行の数値キーを押す。以下、同様に母音ごとのシフトキーとの組合せで入力したい文字を直接入力できる。シフトキー３個と数値キー「０〜９」の組合せは上記の他ＡとＢの組合せもあり数値キー１０個に対し８段８０文字を直接入力することが可能である。また、シフトキー４個では数値キー１０個に対し１６段１６０文字の直接入力が可能となる。アルファベット入力モード時も同様に「あ〜う・か〜く・・」の位置にそれぞれ「Ａ〜Ｃ・Ｄ〜Ｆ・・」を配置し直接入力する。
【図面の簡単な説明】
【０００８】
【図１】  本図面は、携帯電話機で実施した場合の斜視図である。
【符号の説明】
【０００９】  １  携帯電話機入力部
２  数値キー部
３  数値キー部の横
４  複数シフトキー（３個）
【図１】
0003102306.tif 000003
【手続補正書】
【提出日】平成16年1月19日(2004.1.19)
【手続補正１】
【補正対象書類名】実用新案登録請求の範囲
【補正対象項目名】全文
【補正方法】変更
【補正の内容】
【実用新案登録請求の範囲】
【請求項１】
従来の携帯電話機の数値キーによる標準的な文字入力方式に３個又は４個のシフトキーを追加し、このシフトキーの８通り又は１６通りの組合せと、数値キーとを組み合わせた同時入力により、入力したい文字を一回の操作で直接入力できるようにした文字入力装置。
【請求項２】
請求項１の文字入力方式で、携帯電話機入力部（１）の横（３）の携帯電話機を保持する指の位置に請求項１のシフトキーを配置し、文字入力を効率的に行えるようにした携帯電話機。
(57)【要約】【課題】  丸型の氷を簡単に製造する方法。【解決手段】ゴム風船に液体を入れクリップで止め、冷凍して凍らせる。凍ったゴムの部分に少々の水をかけ、ゴム風船の口から押し出すとできる。【選択図】  図２
0003102303.tif 000002
【実用新案登録請求の範囲】
【請求項１】
人体に悪影響を及ぼさない大小無色、又は、無色に近いゴム風船と、それで作った丸型の氷。
【考案の詳細な説明】
【考案の詳細な説明】
【技術分野】
【０００１】本考案は、ゴム風船を利用し、風船の中に水、又は液体を入れて氷を作り凍った液体の外のゴムの部分に少し水をかけろことに依り、容易に丸い氷を押し出して作ることができる。
【背景技術】
【０００２】今までは、バーテンダーの腕に依り、氷をアイスピック等で球状に作り、ウイスキー、酒などのロックや、カクテルに使用していた。
【考案実施の形態】
【０００３】大、中、小さまざまなゴム風船にミネラルウォーター、フルーツジュース、カクテルレモン・ライム等を入れて凍らせたり、液体の中に、フルーツ、ドライフルーツ、チョコ、ドライゼリー等入れて凍らせたり、いろいろできる。
【実施例】
【０００４】例えば、オリジナルカクテルですが、カクテルグラスの上部をメロンリキュールでぬらし、塩でスノースタイルにする。テキーラ２０ｍｇ、ドライベルモット２０ｍｇ、ウォッカ２０ｍｇをシェイクしてグラスに注ぎ、ライムジュースで作った丸いアイスボールを入れる。（クリスタルマリモ）
【図面の簡単な説明】
【図１】  ゴム風船と、液体を入れる境界線
【図２】  液体を入れたら境界線の所をクリップで止める。
【符号の説明】
１    丸型ゴム風船
２    水、又は飲用の液体を入れる境界線
３    水、又は液体の流出を止めるクリップ
【図１】
0003102303.tif 000003
【図２】
0003102303.tif 000004
【手続補正書】
【提出日】平成16年1月21日(2004.1.21)
【手続補正１】
【補正対象書類名】実用新案登録請求の範囲
【補正対象項目名】全文
【補正方法】変更
【補正の内容】
【実用新案登録請求の範囲】
【請求項１】
人体に悪影響を及ぼさない大小無色又は、無色に近い丸型のゴム風船。
【請求項２】
丸型のゴム風船の中に水又はミネラルウォーターを入れて作った丸型の氷。
(57)【要約】      （修正有）【課題】従来花壇等の境界ブロックは直方体や長方体のコンクリートブロック又はレンガ等が使用されており、地上露出部の上方に角の部分があり、転倒した際に怪我をする危険な形状であったので境界ブロックを人に優しい形状とする。【解決手段】ブロック上部の角を取り円形とすることにより角が取れ、転倒した際の怪我をする危険度を低く抑える。【選択図】図１
0003102309.tif 000002
【実用新案登録請求の範囲】
【請求項１】
断面形状の上方が円や楕円等の円形状で、下方が台形のブロック。
【考案の詳細な説明】
【考案の詳細な説明】
【考案が解決しようとする課題】
【０００１】  従来花壇等の境界ブロックは直方体や長方体のコンクリートブロック又はレンガ等が使用されており、地上露出部の上方に角の部分があり、転倒した際に怪我をするなど危険な形状であった。
【課題を解決するための手段】
【０００２】  地上露出部のブロック上方の角を取り円形状とする。
【考案の効果】
【０００３】  ブロック上方を円形状にすることにより角が取れ、怪我をする危険度が低く抑えられ、外見も人に優しい形状となる。
また、下方を下広がりの台形とすることによりブロックの安定性が保たれる。
【図面の簡単な説明】
【図１】  上円下方ブロックの断面図。
【図２】  上円下方ブロックの見取図
【符号の説明】
１  上円下方ブロック
【図１】
0003102309.tif 000003
【図２】
0003102309.tif 000004
(57)【要約】      （修正有）【課題】家庭菜園や庭造りに於ける従来の支柱の穴掘り作業を容易にする。【解決手段】棒４の上に身体のバランスをとる為と穴掘り後にたやすく抜く為に棒を回転させる為の取っ手５をつけ、下部に穴掘り時自身の体重で容易に穴を掘る為、自身が乗る為の足乗せ台３を設け、足乗せ台の下部に先を尖らせた穴掘り用棒１を取り付けた。作業者自身の体重を利用して穴掘り作業を容易にし、又本体を回転させる事により穴掘り用棒を容易に引き抜く事が出来る。【選択図】図２
0003102307.tif 000002
【実用新案登録請求の範囲】
【請求項１】
棒の上に取っ手をつけ、下部に足乗せ台を各々水平に取り付け、足乗せ台の下部に先を尖らせた穴掘り用棒を取り付けた支柱用穴掘り機。
【考案の詳細な説明】
【技術分野】
【０００１】  本考案は、農作物や植木が倒れないように支柱を立てる時に、その支柱を立てる為の穴を掘る穴掘機。
【背景技術】
【０００２】  従来は鉄棒等を使って金槌で地面に打ち付けその棒を抜いてその穴に支柱を差し込んで立てていたが、その棒を抜くことが至難の業であり穴掘りには大変な苦労を伴うものであった。
【考案の開示】
【考案が解決しようとする課題】
【０００３】従来の技術には次の様な欠点があった。穴を掘る時に、必要な穴の大きさに合う棒を探すことが大変であった。又、見つけ出したとして金槌で打ち込んだとしてもこの棒を抜くのに大変でペンチを使ったり、又、手で前後左右に動かして抜いたり、その際棒を曲げてしまったり、破損させたり、又、手の皮をむいてしまう怪我をしたり、極めて煩わしい作業であった。本考案は、以上のような欠点をなくす為になされたものである。
【課題を解決するための手段】
【０００４】  棒の上に身体のバランスをとる為と穴掘り後にたやすく抜く為に棒を回転させる為の取っ手をつけ、下部に穴掘り時自身の体重で容易に穴を掘る為、自身が乗る為の足乗せ台を設け、足乗せ台の下部に先を尖らせた穴掘り用棒を取り付けた。
【考案の効果】
【０００５】  近年一般家庭でも家庭菜園や庭造りが盛んに行われるようになり、様々な野菜や植木を栽培する機会が増えてきましたが、植物は小さな時は少しの風や雨でも折れやすく、成長過程で駄目にしてしまうものも数多くある。それを防ぐために支柱を立て植物が折れないように保護しますが、支柱用の穴を掘るのが大変で、棒を金槌で打ち込んだり、支柱を打ち込んだりしております、最近の植物用支柱は樹脂のものも多く直接打ち込むと折れてしまったり、鉄棒でも曲がってしまい大変な作業である。本考案を使うと支柱穴が深くなり支柱が倒れにくく、穴掘り作業が早く安全で安価に簡単確実に出来る。
【考案を実施するための最良の形態】
【０００６】  垂直の棒４の上部に身体バランスを保ち又全体を回転させる為の取っ手５を設ける。垂直の棒４の中央部に支柱引き抜き用フック７を設ける、下部に自身の体重をかける為の足乗せ台３を設ける。その下に棒４と一直線になるよう先を尖らせた棒１を取り付ける。
【実施例】
【０００７】  本考案は、支柱をたてるべき所にまず先の尖った棒１の先を地面に刺し、取っ手５を手で持ち足乗せ台３に足を乗せ自身の全体重をかけ、その重さで地面からより深く差し込み穴を掘る。目的の穴が掘れたら足乗せ台３から降り、両手で持った取っ手５を回転させる。その事によって容易に地面から棒１を抜くことが出来る。そして、出来た支柱を立てる為の穴に支柱を差し込み動かないように固定する。
【産業上の利用可能性】
【０００８】  本考案は、先の尖った棒の太さを２〜３種類に交換する事により支柱の太さや材質も金属、樹脂、木製に合わせた穴を掘ることが可能である。
【図面の簡単な説明】
【０００９】  本考案は、穴掘り用棒を本体（垂直棒）に設け、回転用取っ手と足乗せ台を設けた。
【符号の説明】
【００１０】  １．穴掘り用棒  ２．本体と穴掘り用棒の接合部  ３．足乗せ台  ４．本体（取っ手と足乗せ台を取り付ける）垂直棒  ５．取っ手  ６．金槌打ち所
【図１】
0003102307.tif 000003
【図２】
0003102307.tif 000004
【手続補正書】
【提出日】平成16年2月2日(2004.2.2)
【手続補正１】
【補正対象書類名】明細書
【補正対象項目名】０００９
【補正方法】変更
【補正の内容】
【０００９】【図１】正面図
１．穴掘り用棒です
２．本体と穴掘り用棒の接合部です
３．自身が乗る足乗せ台です
４．本体垂直棒（取っ手と足乗せ台を取り付ける）です
５．取っ手（穴を掘る時の安定と、引き抜く時に回転させる）です
６．金槌打ち所（地盤の固い時に）です
【図２】斜視図
１．穴掘り用棒です
２．本体と穴掘り用棒の接合部です
３．自身が乗る足乗せ台です
４．本体垂直棒（取っ手と足乗せ台を取り付ける）です
５．取っ手（穴を掘る時の安定と、引く抜く時に回転させる）です
６．金槌打ち所（地盤の固いときに）です
(57)【要約】【課題】わずらわしい操作無しにリールを脱着する事が出来るグリップを提供する。【解決手段】ハウジング部（２）に組み込まれた固定爪部（３）をスプリング（４）により回転移動の動作をさせ、リールシート部（１）に差し込まれるリールを上部から押すだけで固定し、リールを後方に引くだけで取りはずす事が出来る事を特徴とする。【選択図】図２
0003102305.tif 000002
【実用新案登録請求の範囲】
【請求項１】
リールシート部（１）とハウジング部（２）に組み込まれた固定爪部（３）スプリング（４）連結シャフト部（５）で構成されたユニットで固定爪部（３）の回転移動の動作によりワンタッチでリールを脱着出来るようにした釣り用グリップ。
【考案の詳細な説明】
【技術分野】
【０００１】本考案はリールをワンタッチで脱着するための釣具に関する。
【背景技術】
【０００２】従来、リールシート部に取り付けられた、（図４）くの字状の固定爪（１）をネジ部（２）により手で締め上下方向に固定したり、（図５）グリップ本体と固定用筒体（１）のネジ部（２）による移動により固定用フード（３、４）でリールを挟み込む用な感じで前後方向に固定していた。
【考案の開示】
【考案が解決しようとする課題】
【０００３】これには次のような欠点があった。
（イ）  いちいちネジ部（２）を回してリールを脱着する必要が有った。（図４、図５）
（ロ）  使用しているうちにネジがゆるみガタが出る事があった。
本発明は、これらの欠点を除くためになされたものである。
【考案が解決するための手段】
【０００４】ハウジング部（２）固定爪部（３）スプリング（４）連結シャフト部（５）で構成され、リールを上部から押さえ込む事により固定爪部（３）をハウジング部（２）内部で回転移動の動作をさせ、ワンタッチで固定する。またリールを後方に押し下げる事により、固定爪部（３）を押し下げ、リールシート前部よりリールをワンタッチで取り外す。
本発明は、以上のような構成からなる釣り用グリップである。
【考案の効果】
【０００５】従来のようなわずらわしい操作無しに、かつ迅速にリールの脱着を行う事が出来る。
【考案を実施するための最良の形態】
【０００６】以下、本考案の実施の形態について説明する。
ハウジング部（２）に組み込まれた固定爪部（３）をスプリング（４）の圧力を受けつつリールにより押さえつけられることにより回転移動の動作をさせ、リールシート部に差し込まれるリールを上部から押すだけで固定する。【０００７】リールを後部に引く事によりリールシート前部からそれをはずすことが出来る。【０００８】本考案は以上のような構造で、従来のようなわずらわしい操作無しに、リールの脱着を行う。
【実施例】
【０００９】本図面では、全てが一体型となっているが、この機構を残し材質を変える事も可能である。
【産業上の利用可能性】
【００１０】ワンタッチでリールを脱着する事が出来る釣り用グリップ。
【図面の簡単な説明】
【００１１】
【図１】本考案の斜視図である。
【図２】本考案の図１においてＡ−Ａ’で切断した断面図である。
【図３】本考案の使用状態を示す説明図である。
【図４】従来の釣り用グリップの例の斜視図である。
【図５】従来の釣り用グリップの例の側面図である。
【符号の説明】
【００１２】（図１、図２、図３）
１リールシート部
２ハウジング部
３固定爪部
４スプリング
５連結シャフト部
（図４）
１固定爪部
２ネジ部
３リールシート部
（図５）
１固定用筒体
２ネジ部
３前リール固定用フード
４後リール固定用フード
５フロントグリップ
６リールシート部
７グリップ体
【図１】
0003102305.tif 000003
【図２】
0003102305.tif 000004
【図３】
0003102305.tif 000005
【図４】
0003102305.tif 000006
【図５】
0003102305.tif 000007
【手続補正書】
【提出日】平成16年1月26日(2004.1.26)
【手続補正１】
【補正対象書類名】実用新案登録請求の範囲
【補正対象項目名】請求項１
【補正方法】変更
【補正の内容】
【請求項１】
リールが固定されるためのリールシート部（１）と固定爪部（３）スプリング（４）連結シャフト部が格納されるハウジング部（２）とリールをリールシート部に固定するための固定爪部（３）と固定爪部（３）連結シャフト部（５）を前方に押し出すためのスプリング（４）と固定爪部（３）ハウジング部（２）を連結するための連結シャフト部（５）を備え煩わしい操作無しでリールを取り外しできる釣り用グリップ。